(57)【要約】      （修正有）【課題】生ごみの含有する水分を極力取り除いて悪臭や蛆の発生を抑え、腐葉土を利用して家庭内の生ごみを堆肥化できるようにする生ごみ堆肥化容器を提供する。【解決手段】密閉される容体１を、上位から、生ごみと腐葉土との混合物Ａを収納する堆肥化室７、新聞紙等の吸水体Ｂを収納する吸水室８、水分を滴下させる貯水室９に、隔板５、６を介して区画し、各隔板５、６に通孔１０を設けたことを特徴とする構成で、吸水体Ｂで混合物Ａの水分を充分に吸水して混合物Ａの脱水を達成し、吸水体Ｂの保水飽和量を越えたならば水分を貯水室９に滴下させ、吸水体Ｂの吸水力を落とさないようにする。【選択図】図１
0003120032.tif 000002
【実用新案登録請求の範囲】
【請求項１】
密閉される容体（１）を、上位から、生ごみと腐葉土との混合物（Ａ）を収納する堆肥化室（７）、新聞紙等の吸水体（Ｂ）を収納する吸水室（８）、水分を滴下させる貯水室（９）に、隔板（５）、（６）を介して区画し、各隔板（５）、（６）に通孔（１０）を設けたことを特徴とする生ごみ堆肥化容器。
【考案の詳細な説明】
【技術分野】
【０００１】
本考案は、家庭内で排出される生ごみを堆肥化するための容器に関する。
【背景技術】
【０００２】
家庭内で排出される生ごみの多くは各自治体が回収し、殆どが焼却処理される。この焼却後のごみは１０乃至２０％の容積にまで減少し、埋立て等で最終処理されるが、焼却処理に伴うエネルギー消費が少なからず、大きな経済的負担が生じ、環境汚染の原因となる。
【０００３】
この点から、主として有機成分で構成されている生ごみを発酵分解させて堆肥化し土に戻す方法が理論として完成されており、自治体単位で大規模な取組みが行われている一方、家庭単位で生ごみを独自に堆肥化する取組みも広範囲に試みられており、将来的には有望なものと期待される。例えば、生ごみを腐葉土等と共に地表面設置容器に収納する「コンポスト方式」、生ごみと「ボカシ」と称される発酵分解菌の集合体を、底部に水溜室を有する容器に収納する「ボカシ方式」、生ごみと米ぬか・鋸屑等の水分吸収材と菌種を温度調整機能と撹拌羽根を備えた容器に収納する「加温撹拌方式」等である。
【０００４】
上記「コンポスト方式」は容器の底部が開放状態であるので、蛆や悪臭の発生による不都合が多く、「ボカシ方式」「加温撹拌方式」では、特殊な容器や菌種・消耗品の購入等でコスト負担が大きく、管理技術の習得の煩雑さなどの欠点がある。
このような問題に鑑みて、従来より例えば以下の如き解決策が提案されている。
【特許文献１】実開平６−４２９３４号公報
【特許文献２】特開２００５−２９８２２０号公報
【考案の開示】
【考案が解決しようとする課題】
【０００５】
しかしながら上記特許文献１では、生ごみに含まれる水分を吸収する手段がなく、水分は自重によって極めて緩慢に下降することになるので、生ごみ下部ではこの水分が滞留してしまう。生ごみの堆肥化は、生ごみを構成する有機物を発酵分解菌の働きにより分解し、生活機能を失わせて安定化することにより達成するものであるが、水分が必要以上に多く含まれていると発酵分解菌の正常な働きが阻害され、悪臭の原因となってしまう。つまり、生ごみの発酵分解過程で、多くの水分が含まれているがために悪臭を放つ菌が増殖する場合は腐敗であって、堆肥化ではない。
【０００６】
更に上記特許文献１では、容器の最下位に汚水溜を形成し、排水口から水分を排出する構成になっているが、排水口近傍ではキャップが被せられているとしても排出時に若干でも汚水が付着すると蛆がわく原因となり、排水口から蛆が進入する危険性は否めない。
【０００７】
また上記特許文献２では、樹木の粉砕片で形成された液分吸収材を敷設した構成が開示されているが、この吸収材の吸収能力を越えた水分が生ごみに含まれている場合は吸収材が水浸し状態となり、望ましい発酵が得られず、悪臭の原因ともなってしまう。
【０００８】
よって本考案は、上記従来の欠点不都合を解消するべく開発されたものであって、生ごみの含有する水分を極力取り除いて悪臭や蛆の発生を抑え、腐葉土を利用して家庭内の生ごみを堆肥化できるようにすることを目的とする。
【課題を解決するための手段】
【０００９】
上記課題を解決するため、本考案の生ごみ堆肥化容器は、密閉される容体を、上位から、生ごみと腐葉土との混合物を収納する堆肥化室、新聞紙等の吸水体を収納する吸水室、水分を滴下させる貯水室に、隔板を介して区画し、各隔板に通孔を設けたことを特徴とする。
【考案の効果】
【００１０】
上記した本考案の生ごみ堆肥化容器によれば、堆肥化室に収納された生ごみと腐葉土との混合物に含有する水分は、毛細管現象及び自重によって、堆肥化室と吸水室との間に配された上位の隔板に設けられた通孔を通過して吸水室に進入し、この吸水室に収納された新聞紙等の吸水体に吸水されるが、この吸水体の保水力が飽和状態になると、水分は、更に吸水室と貯水室との間に配された下位の隔板に設けられた通孔を通過して貯水室に滴下する。
【００１１】
従って堆肥化室に収納された生ごみと腐葉土との混合物は、吸水体の吸水力によって脱水状態の環境となり、植物体の発酵分解に有効な完熟した菌を集約して多く含んでいる腐葉土が菌種となって生ごみに接種され、当該菌は上記環境下であるため正常に働き、悪臭を放つことなく生ごみを堆肥化するのである。尚、発酵分解過程では、生ごみの組織を構成している細胞（特にセルロース）は崩壊し、内部に包含されていた水分は組織外に放出されるので、この水分の吸収も同時に達成されなければならない。
【００１２】
また、吸水室内の新聞紙等の吸水体は、単なる吸水だけではなく、堆肥化室内下部に滞留する生ごみの水分を通孔を通して積極的に吸引するため、上記した混合物の脱水状態を確実に達成する。
【００１３】
更に、吸水室内の新聞紙等の吸水体の保水力が経時に従って飽和状態になると、水分は貯水室に滴下するので、吸水体が水浸し状態となることはなく、常に少なくとも吸水能力を維持することができる。
【００１４】
よって、本考案の生ごみ堆肥化容器は、構成が簡単で高価で特殊な容器を用いる必要がなく、消耗品や消費エネルギーを必要とせず、維持管理の技術取得の煩雑さがなく、確実に生ごみの堆肥化を悪臭を生じさせることなく達成することができる等、多くの優れた作用効果を奏する。
【考案を実施するための最良の形態】
【００１５】
容体１は、胴壁２下端に底壁３を連設した有底筒体であって、上端開口部は蓋体４によって密閉され、下部内に、第一の隔壁５、所定間隔を開けて第二の隔壁６が、夫々水平姿勢で架設されて、容体１内の上端から第一の隔壁５までの間に生ごみと腐葉土との混合物Ａを収納する堆肥化室７、第一の隔壁５と第二の隔壁６との間に新聞紙等の吸水体Ｂを収納する吸水室８、第二の隔壁６と底壁３との間に水分を滴下させる貯水室９を夫々区画形成し、各隔板５、６に多数の通孔１０を設けた構成である。
【実施例１】
【００１６】
容体１は通常の合成樹脂製のバケツ容器で良く、本考案用として成形する場合には、胴壁２内面の下部高さ位置に第一の隔壁５と第二の隔壁６の端部を夫々下方から支持する桟１１を付設する。第一の隔壁５と第二の隔壁６は、板体に通孔１０を開設したものであるが、網目を通孔１０とする通常のステンレス製の網体を利用しても良いものである。腐葉土は、市販の園芸用完熟品で良く、吸水体Ｂは家庭内の廃棄物である古新聞紙で充分であるが、その他、不要の段ボール、ボロ切れ等の吸水性に富んだものである。
【００１７】
堆肥の製造は、容体１内に先ず第二の隔壁６の端部を下位の桟１１に乗載架設し、所定量の吸水体Ｂを載置してその上方から第一の隔壁５の端部を上位の桟１１に乗載架設し、更に第一の隔壁５の上位である堆肥化室７に生ごみと腐葉土との混合物Ａを収納するのである。保管時には、常に蓋体４で密閉し、冬期で約３か月、夏期で約２か月で所望の堆肥化が達成されるので、土に戻せば良い。
【実施例２】
【００１８】
図２は、容体１として通常の合成樹脂製のバケツ容器を用いる場合の本考案の用具を示すもので、枠体１２を底板１３の両端に側板１４を立設し、この側板１４内面の中位と上端に前記した桟１１を付設して構成し、この枠体１２を容体１に底壁３に載置すれば良い。
【図面の簡単な説明】
【００１９】
【図１】本考案の実施例を示す断面図である。
【図２】他の実施例の部材を示す斜視図である。
【符号の説明】
【００２０】
１  容体
２  胴壁
３  底壁
４  蓋体
５  第一の隔壁５
６  第二の隔壁
７  堆肥化室
８  吸水室
９  貯水室
１０  通孔
１１  桟
１２  枠体
１３  底板
１４  側板
Ａ  生ごみと腐葉土との混合物
Ｂ  吸水体
【図１】
0003120032.tif 000003
【図２】
0003120032.tif 000004